【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
少なくとも第１インクドットを形成可能な複数の第１ノズル列が主走査方向に間隔をおいて配置され且つ前記第１インクドットとは色またはサイズの少なくとも一方が異なる第２インクドットを形成可能な複数の第２ノズル列が主走査方向に間隔をおいて配置された記録ヘッドを記録媒体に対して前記主走査方向へ相対的に走査させながら前記記録媒体にインクドットを形成するために、画素データの量子化レベルに対応したドット配置パターンを選択するデータ処理装置において、
前記第１ノズル列と第２ノズル列の夫々について、画素データの量子化レベルに応じて当該量子化レベルに対応する複数の異なるドット配置パターンの中のいずれかを選択する選択手段を備え、
前記選択手段は、前記主走査方向における間隔が相対的に長い第１ノズル列と第２ノズル列の組合せは用いずに、前記主走査方向における間隔が相対的に短い第１ノズル列と第２ノズル列の組合せを用いて同一画素が記録されるように、前記ドット配置パターンの選択を行うことを特徴とするデータ処理装置。
【請求項２】
前記ドット配置パターンを格納するドット配置パターン格納手段を更に備え、
前記ドット配置パターン格納手段は、前記第１ノズル列に対応する画素データの記録に用いられる第１ドット配置パターンとして、少なくとも１つの同一量子化レベルに対応する複数の第１ドット配置パターンを格納し、且つ前記第２ノズル列に対応する画素データの記録に用いられる第２ドット配置パターンとして、少なくとも１つの同一量子化レベルに対応する複数の第２ドット配置パターンを格納する
ことを特徴とする請求項１に記載のデータ処理装置。
【請求項３】
前記複数の第１ノズル列と複数の第２ノズル列は、前記記録ヘッドの主走査方向の一端側から他端側に向かって、第１ノズル列、第２ノズル列、第２ノズル列、第１ノズル列の順で配列されており、
前記同一画素の記録に用いられる前記主走査方向における間隔が相対的に短い第１ノズル列と第２ノズル列の組合せは、前記一端側に位置する第１ノズル列と前記一端側に位置する第２ノズル列の組合せ、および、前記他端側に位置する第２ノズル列と前記他端側に位置する第２ノズル列の組合せのいずれか一方であり、
前記同一画素の記録に用いられない前記主走査方向における間隔が相対的に長い第１ノズル列と第２ノズル列の組合せは、前記一端側に位置する第１ノズル列と前記他端側に位置する第２ノズル列の組合せ、および、前記一端側に位置する第２ノズル列と前記他端側に位置する第１ノズル列の組合せである
ことを特徴とする請求項２に記載のデータ処理装置。
【請求項４】
前記第１インクドットはシアンインクドットであり、前記第２インクドットはマゼンタインクドットであることを特徴とする請求項１から３のいずれかに記載のデータ処理装置。
【請求項５】
前記第２インクドットは、前記第１インクドットと同色で且つ前記第１インクドットよりも小さいことを特徴とする請求項１から３のいずれかに記載のデータ処理装置。
【請求項６】
前記第１ノズル列に対応した画素データと、前記第２ノズル列に対応した画素データと、の両方を含む対象画素を検出する検出手段を更に備え、
前記選択手段は、前記検出手段が前記対象画素を検出したときに、前記主走査方向における間隔が相対的に短い第１ノズル列と第２ノズル列の組合せで前記対象画素が記録されるように、前記ドット配置パターンを選択する
ことを特徴とする請求項１から５のいずれかに記載のデータ処理装置。 
【請求項７】
前記対象画素に含まれる画素データが所定の量子化レベルを示すか否かを判断する判断手段を更に備え、
前記選択手段は、前記対象画素が前記所定の量子化レベルを示すことが前記判断手段によって判断されたときに、前記主走査方向における間隔が相対的に短い第１ノズル列と第２ノズル列の組合せで前記対象画素が記録されるように、前記ドット配置パターンを選択する
ことを特徴とする請求項６に記載のデータ処理装置。
【請求項８】
前記主走査方向における間隔が相対的に短い第１ノズル列と第２ノズル列の組合で同一画素が記録されるように、前記複数の異なるドット配置パターンの中から選択されるドット配置パターンは画素の位置に予め対応付けられており、
前記選択手段は、画素の位置に応じて前記ドット配置パターンを選択する
ことを特徴とする請求項１から５のいずれかに記載のデータ処理装置。 
【請求項９】
インクドットを形成可能な複数のノズル列を有する記録ヘッドと記録媒体とを所定の方向へ相対的に走査させながら前記記録媒体にインクドットを形成するために、画素データの量子化レベルに対応したドット配置パターンを選択するデータ処理装置において、
前記画素データの量子化レベルに応じて当該量子化レベルに対応する複数の異なるドット配置パターンの中のいずれかを選択する選択手段を備え、
前記複数のノズル列は、前記記録ヘッドの所定方向における一端側に位置するある２つのノズル列と、前記記録ヘッドの所定方向における他端側に位置する別の２つのノズル列を含み、
前記ある２つのノズル列の組合せにより形成可能なドットの種類は、前記別のノズル列の組合せにより形成可能なドットの種類と同じであり、
前記選択手段は、前記ある２つのノズル列のうちの一つと前記別の２つのノズル列のうちの１つの組合せである、前記所定方向における間隔が相対的に長いノズル列の組合せは用いずに、前記ある２つのノズル列同士の組合せあるいは前記別の２つのノズル列同士の組合せである、前記所定方向における間隔が相対的に短いノズル列の組合せを用いて同一画素が記録されるように、前記ドット配置パターンの選択を行う
ことを特徴とするデータ処理装置。
【請求項１０】
少なくとも第１インクドットを形成可能な複数の第１ノズル列が主走査方向に間隔をおいて配置され且つ前記第１インクドットとは色またはサイズの少なくとも一方が異なる第２インクドットを形成可能な複数の第２ノズル列が主走査方向に間隔をおいて配置された記録ヘッドを記録媒体に対して前記主走査方向へ相対的に走査させながら前記記録媒体にインクドットを形成するために、画素データの量子化レベルに対応したドット配置パターンを選択するデータ処理方法において、
前記第１インクおよび第２インクの夫々について、画素データの量子化レベルに応じて当該量子化レベルに対応する複数の異なるドット配置パターンの中のいずれかを選択する選択工程を有し、
前記選択工程では、前記主走査方向における間隔が相対的に長い第１ノズル列と第２ノズル列の組合せは用いずに、前記主走査方向における間隔が相対的に短い第１ノズル列と第２ノズル列の組合せを用いて同一画素が記録されるように、前記ドット配置パターンの選択を行う
ことを特徴とするデータ処理方法。
【請求項１１】
インクドットを形成可能な複数のノズル列を有する記録ヘッドと記録媒体とを所定の方向へ相対的に走査させながら前記記録媒体にインクドットを形成するために、画素データの量子化レベルに対応したドット配置パターンを選択するデータ処理方法において、
画素データの量子化レベルに応じて当該量子化レベルに対応する複数の異なるドット配置パターンの中のいずれかを選択する選択工程を有し、
前記複数のノズル列は、前記記録ヘッドの所定方向における一端側に位置するある２つのノズル列と、前記記録ヘッドの所定方向における他端側に位置する別の２つのノズル列を含み、
前記ある２つのノズル列の組合せにより形成可能なドットの種類は、前記別の２つのノズル列の組合せにより形成可能なドットの種類と同じであり、
前記選択工程では、前記ある２つのノズル列のうちの一つと前記別の２つのノズル列のうちの１つの組合せである、前記主走査方向における間隔が相対的に長いノズル列の組合せは用いずに、前記ある２つのノズル列同士の組合せあるいは前記別の２つのノズル列同士の組合せである、前記主走査方向における間隔が相対的に短いノズル列の組合せを用いて同一画素が記録されるように、前記ドット配置パターンの選択を行う
ことを特徴とするデータ処理方法。
【請求項１２】
請求項１から９のいずれかに記載のデータ処理装置と、
前記データ処理装置により選択されたドット配置パターンに基づいて前記記録ヘッドからインクを吐出させる制御手段と、
を備えることを特徴とするインクジェット記録装置。
【請求項１３】
請求項１０または１１に記載のデータ処理方法を実行する工程と、
前記データ処理方法により選択されたドット配置パターンに基づいて前記記録ヘッドからインクを吐出する工程と、
を有することを特徴とするインクジェット記録方法。
【請求項１４】
請求項１０または１１に記載のデータ処理方法をコンピュータに実行させるためのコンピュータ可読プログラム。
【手続補正２】
【補正対象書類名】明細書
【補正対象項目名】発明の名称
【補正方法】変更
【補正の内容】
【発明の名称】データ処理装置、データ処理方法、インクジェット記録装置、インクジェット記録方法、およびプログラム
【手続補正３】
【補正対象書類名】明細書
【補正対象項目名】０００１
【補正方法】変更
【補正の内容】
【０００１】
本発明は、ドット配置パターンを用いた記録方式に関連するデータ処理装置、データ処理方法、インクジェット記録装置、インクジェット記録方法、およびプログラムに関するものである。さらに詳しくは、複数種のインクを用いて記録を行う際に、異なるインク毎に、ｎ値化（ｎ≧３）した量子化データ（ｎ値）をＬ（横）×Ｍ（縦）のドット配置パターンに展開して記録を行うためのデータ処理装置、データ処理方法、インクジェット記録装置、インクジェット記録方法、およびプログラムに関するものである。
【手続補正４】
【補正対象書類名】明細書
【補正対象項目名】０００９
【補正方法】変更
【補正の内容】
【０００９】
本発明の目的は、複数種のインクを用いて画像を記録する場合に、記録画像中における主走査方向の周期的な濃度ムラの発生を抑えて、高品位な画像の記録を可能とするデータ処理装置、データ処理方法、インクジェット記録装置、インクジェット記録方法、およびプログラムを提供することにある。
【手続補正５】
【補正対象書類名】明細書
【補正対象項目名】００１０
【補正方法】変更
【補正の内容】
【００１０】
本発明のデータ処理装置は、少なくとも第１インクドットを形成可能な複数の第１ノズル列が主走査方向に間隔をおいて配置され且つ前記第１インクドットとは色またはサイズの少なくとも一方が異なる第２インクドットを形成可能な複数の第２ノズル列が主走査方向に間隔をおいて配置された記録ヘッドを記録媒体に対して前記主走査方向へ相対的に走査させながら前記記録媒体にインクドットを形成するために、画素データの量子化レベルに対応したドット配置パターンを選択するデータ処理装置において、前記第１ノズル列と第２ノズル列の夫々について、画素データの量子化レベルに応じて当該量子化レベルに対応する複数の異なるドット配置パターンの中のいずれかを選択する選択手段を備え、前記選択手段は、前記主走査方向における間隔が相対的に長い第１ノズル列と第２ノズル列の組合せは用いずに、前記主走査方向における間隔が相対的に短い第１ノズル列と第２ノズル列の組合せを用いて同一画素が記録されるように、前記ドット配置パターンの選択を行うことを特徴とする。
【手続補正６】
【補正対象書類名】明細書
【補正対象項目名】００１１
【補正方法】変更
【補正の内容】
【００１１】
本発明のデータ処理装置は、インクドットを形成可能な複数のノズル列を有する記録ヘッドと記録媒体とを所定の方向へ相対的に走査させながら前記記録媒体にインクドットを形成するために、画素データの量子化レベルに対応したドット配置パターンを選択するデータ処理装置において、前記画素データの量子化レベルに応じて当該量子化レベルに対応する複数の異なるドット配置パターンの中のいずれかを選択する選択手段を備え、前記複数のノズル列は、前記記録ヘッドの所定方向における一端側に位置するある２つのノズル列と、前記記録ヘッドの所定方向における他端側に位置する別の２つのノズル列を含み、前記ある２つのノズル列の組合せにより形成可能なドットの種類は、前記別のノズル列の組合せにより形成可能なドットの種類と同じであり、前記選択手段は、前記ある２つのノズル列のうちの一つと前記別の２つのノズル列のうちの１つの組合せである、前記主走査方向における間隔が相対的に長いノズル列の組合せは用いずに、前記ある２つのノズル列同士の組合せあるいは前記別の２つのノズル列同士の組合せである、前記主走査方向における間隔が相対的に短いノズル列の組合せを用いて同一画素が記録されるように、前記ドット配置パターンの選択を行うことを特徴とする。
【手続補正７】
【補正対象書類名】明細書
【補正対象項目名】００１２
【補正方法】変更
【補正の内容】
【００１２】
本発明のデータ処理方法は、少なくとも第１インクドットを形成可能な複数の第１ノズル列が主走査方向に間隔をおいて配置され且つ前記第１インクドットとは色またはサイズの少なくとも一方が異なる第２インクドットを形成可能な複数の第２ノズル列が主走査方向に間隔をおいて配置された記録ヘッドを記録媒体に対して前記主走査方向へ相対的に走査させながら前記記録媒体にインクドットを形成するために、画素データの量子化レベルに対応したドット配置パターンを選択するデータ処理方法において、前記第１インクおよび第２インクの夫々について、画素データの量子化レベルに応じて当該量子化レベルに対応する複数の異なるドット配置パターンの中のいずれかを選択する選択工程を有し、前記選択工程では、前記主走査方向における間隔が相対的に長い第１ノズル列と第２ノズル列の組合せは用いずに、前記主走査方向における間隔が相対的に短い第１ノズル列と第２ノズル列の組合せを用いて同一画素が記録されるように、前記ドット配置パターンの選択を行うことを特徴とする。
【手続補正８】
【補正対象書類名】明細書
【補正対象項目名】００１３
【補正方法】変更
【補正の内容】
【００１３】
本発明のデータ処理方法は、インクドットを形成可能な複数のノズル列を有する記録ヘッドと記録媒体とを所定の方向へ相対的に走査させながら前記記録媒体にインクドットを形成するために、画素データの量子化レベルに対応したドット配置パターンを選択するデータ処理方法において、画素データの量子化レベルに応じて当該量子化レベルに対応する複数の異なるドット配置パターンの中のいずれかを選択する選択工程を有し、前記複数のノズル列は、前記記録ヘッドの所定方向における一端側に位置するある２つのノズル列と、前記記録ヘッドの所定方向における他端側に位置する別の２つのノズル列を含み、前記ある２つのノズル列の組合せにより形成可能なドットの種類は、前記別の２つのノズル列の組合せにより形成可能なドットの種類と同じであり、前記選択工程では、前記ある２つのノズル列のうちの一つと前記別の２つのノズル列のうちの１つの組合せである、前記主走査方向における間隔が相対的に長いノズル列の組合せは用いずに、前記ある２つのノズル列同士の組合せあるいは前記別の２つのノズル列同士の組合せである、前記主走査方向における間隔が相対的に短いノズル列の組合せを用いて同一画素が記録されるように、前記ドット配置パターンの選択を行うことを特徴とする。
【手続補正９】
【補正対象書類名】明細書
【補正対象項目名】００１５
【補正方法】変更
【補正の内容】
【００１５】
本発明のインクジェット記録方法は、上記のデータ処理方法を実行する工程と、前記データ処理方法により選択されたドット配置パターンに基づいて前記記録ヘッドからインクを吐出する工程と、を有することを特徴とする。
本発明のプログラムは、上記のデータ処理方法をコンピュータに実行させるためのコンピュータ可読プログラムであることを特徴とする。